(57)【要約】      （修正有）【課題】改良された取付デバイスを備えるガスシリンダ用の保護キャップまたはボンネットを提供する。【解決手段】ガスシリンダ１０を、病院ベッドまたは担架の棒材などの支持材に取り付けるかまたは固定することができるように、保護キャップ１は、後面２ｂの側部において、取付デバイス３を備えており、取付デバイス３は、十分に折り畳まれた「休止」位置、つまり、取付デバイス３が格納されてキャップ１の本体２と接するかまたはほとんど接するときに取付デバイス３によって適合される位置と、十分に広げられた「取付」位置、つまり、完全に展開され、ベッドの棒材などといった支持材へと引っ掛けられ得るときに取付デバイス３によって適合される位置との間で、軸線の周りに枢動できる。【選択図】図３
2015173985.tif 000002
【特許請求の範囲】
【請求項１】
弁組立体を搭載したガス容器（１０）用の保護キャップ（１）であって、
前記弁組立体の全部または一部を収容するように設計された内部ボリュームを画定する保護シェルを形成するキャップ本体（２）と、
いくつかの角度位置の間で枢動できる取付デバイス（３）と
を備え、前記取付デバイス（３）は、
前記取付デバイス（３）が十分に折り畳まれる休止位置、および、
前記取付デバイス（３）が完全に展開される取付位置を備える保護キャップ（１）において、
前記取付デバイス（３）が、支持材への固定のために各々が切欠き（１１ａ、１１ｂ）を担持する２つの腕部（６ａ、６ｂ）を備える三次元構造（３、６ａ、６ｂ、１１ａ、１１ｂ）を備え、前記三次元構造（３、６ａ、６ｂ、１１ａ、１１ｂ）は、前記取付デバイス（３）が前記休止位置にあるとき、該保護キャップ（１）の前記キャップ本体（２）の外部形状（１４）に一致するように成形された内部面（１３）を備えることを特徴とする保護キャップ（１）。
【請求項２】
前記取付デバイス（３）が、前記保護キャップ（１）の前記キャップ本体（２）の後面（２ｂ）に位置された軸線ＡＡの周りに枢動可能に固定されることを特徴とする、請求項１に記載の保護キャップ（１）。
【請求項３】
前記保護キャップ（１）の前記キャップ本体（２）の後面（２ｂ）および／または側面が、前記三次元構造（３、６ａ、６ｂ、１１ａ、１１ｂ）の前記内部面（１３）に合致する外部形状を有するように成形されることを特徴とする、請求項１または２に記載の保護キャップ（１）。
【請求項４】
前記保護キャップ（１）の前記キャップ本体（２）の後面（２ｂ）および／または側面が、前記本体（２）の前記外部シェルに作られた少なくとも１つの窪み（１４）を備え、その窪みにおいて、前記三次元構造（３、６ａ、６ｂ、１１ａ、１１ｂ）の少なくとも一部が、前記少なくとも１つの窪みの外部形状（１４）に一致して収容されることを特徴とする、請求項１から３のいずれか一項に記載の保護キャップ（１）。
【請求項５】
前記三次元構造（３、６ａ、６ｂ、１１ａ、１１ｂ）が少なくとも１つの湾曲された内部面（１３）を備えることを特徴とする、請求項４に記載の保護キャップ（１）。
【請求項６】
前記取付デバイス（３）が、前記休止位置と前記取付位置との間で、典型的に９０°から１７０°の間である、１８０°未満の角度（α）を通じて枢動することを特徴とする、請求項５に記載の保護キャップ（１）。
【請求項７】
前記キャップ本体（２）に固定され、運搬ハンドル（４）を担持する少なくとも１つの支持直立材（５）を備えることを特徴とする、請求項６に記載の保護キャップ（１）。
【請求項８】
前記保護キャップ（１）の前記キャップ本体（２）と前記三次元構造（３、６ａ、６ｂ、１１ａ、１１ｂ）とが、ポリマー材料から形成されることを特徴とする、請求項７に記載の保護キャップ（１）。
【請求項９】
前記２つの腕部（６ａ、６ｂ）が少なくとも１つの接続要素（６ｃ）によって互いと接続され、好ましくは、前記２つの腕部（６ａ、６ｂ）と前記少なくとも１つの接続要素（６ｃ）とが、特には成型によって、単一部品として形成されることを特徴とする、請求項８に記載の保護キャップ（１）。
【請求項１０】
前記取付デバイス（３）を前記休止位置にロックして保持できるロックシステム（１６）を備えることを特徴とする、請求項９に記載の保護キャップ（１）。
【請求項１１】
前記弁組立体の少なくとも一部の周囲に配置された、請求項１から１０のいずれか一項に記載の保護キャップ（１）を備えることを特徴とする、内蔵式の調整器を備えるかまたは備えていない弁組立体が装備されたガス容器（１０）。
【請求項１２】
好ましくは１０から１５０ｃｍの間の大きさのガスシリンダ（１０）であり、０．５から２０リットル（水等価容量）を収容するガスシリンダから選択されることを特徴とする、請求項１１に記載のガス容器（１０）。
【請求項１３】
ガスまたはガス状混合物を分配するための、請求項１１または１２に記載のガス容器の使用。
【請求項１４】
前記ガスまたはガス状混合物は、酸素、空気、Ｎ2Ｏ／Ｏ2、Ｈｅ／Ｏ2、およびＮＯ／窒素から選択されることを特徴とする、請求項１３に記載のガス容器の使用。
【発明の詳細な説明】
【技術分野】
【０００１】
本発明は、休止位置へと折り畳まれたときにキャップ本体の外部の輪郭に一致し、ベッド、担架、車椅子などへの取り付けのためのデバイスが装備された、ボンネットとも称される、特には医療用のガスシリンダ（ガスボンベ）用の保護キャップに関する。
【背景技術】
【０００２】
産業用ガスおよび医療用ガスは、内蔵式の圧力調整器を備えるかまたは備えていない弁組立体、つまり、開閉式の単純な弁か、または、送られるガスの流量と圧力とに対する制御を可能にする、調整弁とも称される、内蔵式の調節器を備える弁が装備された、典型的にはガスシリンダであるガス容器に一般的に封入される。
【０００３】
この弁組立体を保護するために、前記弁組立体の周囲に保護外殻を形成する保護キャップを、ガスシリンダの首部において前記弁組立体の周囲に配置することが、慣行である。このようなキャップは、一般的に、「ボンネット」と称されている。
【０００４】
さらに、シリンダ／ボンネット／弁組立体を、病院ベッドの棒材、担架、桟、または、例えば緊急救急車両などの緊急車両の取付支持材など、支持材に取り付け可能にするために、固定取付システムがボンネットに形成されるのが一般的である。
【０００５】
実際、固定式のものと可動式のものとの２つの種類の取付システムがある。
【０００６】
固定式取付システムの例として、キャップ本体自体の製造のときにキャップ本体の一体部分を形成するか、または、キャップ本体自体の製造の後にキャップ本体に固定されるかのいずれかで、キャップにより形成されて担持された切欠き、フックなどが言及され得る。
【０００７】
可動式取付システムの例として、キャップの後面または側面に固定できる枢動または並進移動できる支持材が言及される。
【０００８】
固定式または可動式の取付システムを備えたガスシリンダ用キャップは、文献ＥＰ−Ａ−６２９８１２、ＤＥ−Ａ−１００５７４６９、米国特許出願公報第２００４／０２０７９３号、およびＥＰ−Ａ−２５８６４８１によって記載されている。
【０００９】
しかしながら、これらの様々な既存のキャップおよび取付システムは欠点を有している。
【００１０】
したがって、多くの取付システムは、その休止位置へと折り畳まれているときであってもシリンダの本体を超えて延在し、これが、シリンダ／キャップ組立体の相当の大きさの増大をもたらしている。
【００１１】
ここで、組立体の大きさが増大することは、容易に理解され得るように、特に、ラックに、または、シリンダをひとまとめにして搬送するために使用される他のバスケットにシリンダを収容するとき、そのように搭載されるシリンダの保管に関して問題を生じさせる。
【００１２】
加えて、多くの枢動取付システムが、折り畳まれているときであってもシリンダの全径を超えて突き出てしまうことは、使用者にとって事故の源であり、例えば使用者の衣服がシステムに不用意に引っ掛かり、シリンダを床に落としてしまう可能性があり、近くの人々に怪我をさせてしまう危険性がある。
【００１３】
したがって、ＥＰ−Ａ２５８６４８１は、ガスシリンダボンネットのための枢動取付システムを教示している。このシステムは、剛体の軸材によって一体に連結された２つの枢動腕部から形成されている。折り畳まれた位置で、軸材は、ボンネットの本体に当たって正接したままとなり、一方、２つの腕部は、シリンダの本体の上部のいずれかの側面に一方がある状態で自身を位置合わせする。そのため、このようなシステムは、前述の欠点を呈する。
【００１４】
他のものは、複雑な設計を有するか、および／または、取り扱いがいささか非実用的である。
【００１５】
枢動腕部が挿入され得る特別な筐体を有するキャップもある。これは、折り畳まれたとき、腕部がキャップの本体を超えて飛び出すのを防止することを可能にしているが、キャップおよび取付デバイスの内部部品を洗浄するのをより複雑にし、キャップのこれらの領域で、埃および他の汚れの避けられない堆積を時間と共に発生するという大きな欠点、つまり、病院の環境での使用とはいささか両立しない洗浄状態を引き起こすという大きな欠点も有している。さらに、この枢動腕部は、それを展開して組立体を病院ベッドの棒材などの支持材に引っ掛けるとき、使用者の指が挟まってしまう可能性があり、使用者にとって取り扱うのが必ずしも容易ではない。
【発明の概要】
【００１６】
これを踏まえて、生じる問題は、前述の欠点のない改良された取付デバイスを備えるガスシリンダ用の保護キャップまたはボンネットを提案することである。
【００１７】
本発明の解決策は、内蔵式の調整器を備えるかまたは備えていない弁組立体が装備された、特にはガスシリンダ用である、ガス容器用の保護キャップまたは「ボンネット」であって、
−  弁組立体の全部または一部を収容するように設計された内部ボリュームを画定する保護シェルを形成するキャップ本体と、
−  いくつかの角度位置の間で枢動できる取付デバイスと
を備え、取付デバイスは、
・  取付デバイスが、十分に折り畳まれる、つまり、キャップの本体と接するかまたはほとんど接する休止位置、および、
・  取付デバイスが、完全に展開される、つまり、キャップをベッドの棒材などの支持材に引っ掛けることができるように完全に展開される取付位置を備える保護キャップまたは「ボンネット」において、
取付デバイスが、支持材への固定のために各々が切欠きを担持する２つの腕部を備える三次元構造を備え、前記三次元構造は、取付デバイスが休止位置にあるとき、つまり、取付デバイスが完全に折り畳まれてキャップの周囲に位置付けられるとき、キャップの本体の外部形状に一致するように成形された内部面を備えることを特徴とする保護キャップまたは「ボンネット」である。
【００１８】
状況に応じて、本発明による保護キャップは、以下の技術的特徴のうちの１つ以上を備えてもよい。
【００１９】
−  取付デバイスが、キャップの本体の後面に位置された軸線ＡＡの周りに枢動可能に固定される。
【００２０】
−  キャップの本体の後面および／または側面が、三次元構造の内部面に合致する（complement）外部形状を有するように成形される。
【００２１】
−  キャップの本体の後面および／または側面が、本体の外部シェルに作られた少なくとも１つの窪みを備え、その窪みにおいて、三次元構造の少なくとも一部が、少なくとも１つの窪みの外部形状に一致して収容される。
【００２２】
−  三次元構造が少なくとも１つの湾曲された内部面を備える。
【００２３】
−  三次元構造が湾曲された全体形状を有する。
【００２４】
−  キャップが、取付デバイスを休止位置にロックして保持できるロックシステムを備える。
【００２５】
−  取付デバイスが、休止位置と取付位置との間で、典型的に９０°から１７０°の間、好ましくは少なくとも１１０°である、１８０°未満の角度（α）を通じて枢動する。
【００２６】
−  キャップが、キャップ本体に固定され、運搬ハンドルを担持する少なくとも１つの支持直立材を備える。
【００２７】
−  キャップの本体と三次元構造とが、ポリマー材料から形成される。典型的には、ポリマーの種類の材料は、ＰＶＣ、ＰＥ、ＰＥＴ、ＰＰ、ＰＭＭＡ、ＰＵ、ＰＡなどのプラスチック材料である。
【００２８】
−  ２つの腕部が少なくとも１つの接続要素によって互いと接続され、好ましくは、２つの腕部と前記少なくとも１つの接続要素とが、特には成型によって、単一部品として形成される。
【００２９】
−  キャップが、取付デバイスを休止位置にロックして保持できるロックシステムを備える。
【００３０】
さらに、本発明は、内蔵式の調整器を備えるかまたは備えていない弁組立体が装備されたガス容器にも関し、前記弁組立体の少なくとも一部の周囲に配置された、本発明による保護キャップを備えることを特徴とする。
【００３１】
状況に応じて、本発明のガス容器は、以下の技術的特徴のうちの１つ以上を備えてもよい。
【００３２】
−  ガス容器が、ガスシリンダから選択される。
【００３３】
−  ガス容器が、１０から１５０ｃｍの間の大きさのガスシリンダである。
【００３４】
−  ガス容器が、０．５から２０リットル（水等価容量）を収容するガスシリンダである。
【００３５】
−  ガス容器が、中空の円筒形本体を備えたガスシリンダである。
【００３６】
−  ガス容器が、ガス出口オリフィスを担持する首部を備えるガスシリンダである。
【００３７】
−  ガス容器が、酸素、空気、Ｎ2Ｏ／Ｏ2混合物、Ｈｅ／Ｏ2混合物、ＮＯ／窒素混合物、または、任意の他のガスもしくはガス状混合物から選択されるガスまたはガス状混合物を収容するガスシリンダである。
【００３８】
−  弁組立体が、内蔵式の調節器の種類のもの、つまり、調節弁である。
【００３９】
−  シリンダが、鋼、アルミニウム合金、または複合材料から作られる。
【００４０】
−  シリンダが、約３５０ｂａｒまでの範囲である圧力でガスを収容する。
【００４１】
本発明は、ガスまたはガス状混合物を分配するために、本発明によるガス容器の使用にも関し、ガスまたはガス状混合物は、具体的には、酸素、空気、Ｎ2Ｏ／Ｏ2、Ｈｅ／Ｏ2、およびＮＯ／窒素から選択される。
【００４２】
ここで、本発明は、添付の図面を参照しつつ、非限定的な例示によって与えられる、以下の詳細な説明のおかげでよりよく理解されることになる。
【図面の簡単な説明】
【００４３】
【図１】ガスシリンダに適合された、本発明による保護キャップの正面図。
【図２】図１のキャップの背面図。
【図３】図１のキャップの３／４背面図。
【図４】図１のキャップが装備されたガスシリンダから形成された組立体の、面に横たわっている状態の図。
【発明を実施するための形態】
【００４４】
図１〜図４は、ガスシリンダ１０の首部に固定されており、弁組立体、つまり、内蔵式の調整器を備えるかまたは備えていない弁の周囲に配置された、「ボンネット」と一般的に称される、剛体の保護キャップ１の一実施形態を描写している。
【００４５】
ガスシリンダ１０は、典型的には、１０から１５０ｃｍの間の大きさと、０．５から２０リットル（水等価容量）の容量とを有している。
【００４６】
保護キャップ１は、弁組立体が内蔵式の調整器を備えた種類または調整弁の種類のものであろうと、内蔵式の調整器を備えない種類のものであろうと、強打に対して弁組立体を保護するように機能する。
【００４７】
そのようにするために、保護キャップ１は、弁組立体を収容する大きさとされた内部ボリュームの周囲に保護シェルを形成するキャップ本体２と、操作者の手によって保持されるように設計された運搬ハンドル４とを備え、前記運搬ハンドル４は、剛体の材料から形成され、また、キャップ本体２を運搬ハンドル４へと機械的に接続する１つまたは複数の支持直立材５によって担持されている。つまり、１つまたは複数の支持直立材５は、使用者がボンネット／弁／シリンダ組立体を容易に持ち歩くことができるように、運搬ハンドル４に固定されている。
【００４８】
キャップ１の本体２は、典型的には、ポリマーの種類の材料および／または金属の材料から作られ、好ましくは、ＰＶＣ、ＰＥ、ＰＥＴ、ＰＰ、ＰＭＭＡ、ＰＵ、ＰＡなどのプラスチック材料から作られる。同様に、支持直立材５は、キャップ１の本体と同様のプラスチック材料から形成され得るが、アルミニウム合金または任意の他の金属材料から作られてもよい。
【００４９】
保護キャップ１は、キャップ１の本体２の内部ボリュームに位置された弁組立体へのアクセスであって、特には、接続器、回転ハンドホイールなどへのアクセスを提供する開口も有している。
【００５０】
具体的には、弁組立体は、典型的には調整弁の種類の弁であり、図３に示されるように、ガスの流量を制御するために使用者が操作できる、前面２ａに位置された回転ハンドホイール７と、シリンダ１０に貯蔵されたガスを引き出すためのガス出口接続器８と、ガスの圧力を監視するための圧力計９と、シリンダが空のときにガスをシリンダ１０へと導入するために使用される、後面２ｂに位置された充填接続器１５（図２および図３）と、加圧ガス送出用接続器１７とを備えている。
【００５１】
保護キャップ１は、固定要素、つまり、ネジなどを用いて捩じ込むことによって、ガスシリンダ１０によって担持された弁組立体の周囲で組み立てられて固定されている。
【００５２】
シリンダ／弁組立体／キャップ組立体を、病院ベッドまたは担架の棒材などの支持材に取り付けるかまたは固定することができるように、保護キャップ１は、その後面２ｂの側部において、取付デバイス３を備えており、その取付デバイス３は、十分に折り畳まれた「休止」位置、つまり、取付デバイス３が格納されてキャップ１の本体２と接するかまたはほとんど接するときに取付デバイス３によって適合される位置と、十分に広げられた「取付」位置、つまり、完全に展開され、ベッドの棒材などといった支持材へと引っ掛けられ得るときに取付デバイス３によって適合される位置との間で、軸線ＡＡの周りに枢動できる。
【００５３】
したがって、図２は、休止位置にある、つまり、折り畳まれている取付デバイス３を示しており、一方、図３および図４は、取付位置にある、つまり、完全に広げられた取付デバイス３を示している。
【００５４】
そのため、これらの２つの位置は、取付デバイス３が軸線ＡＡの周りに枢動するときに取り得る限度での角度位置を構成している。
【００５５】
典型的には、これらの２つの限度角度位置の間での枢動の角度αは、１７０°以下で０°超、好ましくは９０°であり、例えば、１５０°の程度の角度である。
【００５６】
公知の取付デバイスによって提示される問題の一部を解決するために、本発明の文脈においては、保護キャップ１の本体２の周囲に取付デバイス３の完璧な一体化を確保するために労力が注がれている。
【００５７】
そのために、本発明による取付デバイス３は、休止位置にあるとき、つまり、図２に示されるように折り畳まれているとき、キャップの本体２の輪郭に一致する湾曲された三次元構造３、６ａ、６ｂ、１１ａ、１１ｂを形成している。
【００５８】
より具体的には、湾曲された三次元構造３、６ａ、６ｂ、１１ａ、１１ｂは、取付デバイス３が休止位置にあるときにキャップ本体２を挟む２つの腕部６ａ、６ｂ、つまり、右手側腕部６ａと左手側腕部６ｂとを備えている。
【００５９】
腕部６ａ、６ｂの各々は、病院ベッドの棒材などといった支持材に組立体を引っ掛けるために使用される固定切欠き１１ａ、１１ｂを担持している。各固定切欠き１１ａ、１１ｂは、ベッド、担架、車椅子などの管状の棒材の形とできるだけ具合よく一致するように、弓形を有しており、例えば、円の弧として成形されている。
【００６０】
別の言い方をすれば、腕部６ａ、６ｂの固定切欠き１１ａ、１１ｂは、本発明によるキャップが搭載されたガス容器を、病院ベッドなどの棒材、つまり、管状構造物に固定させることができる形および大きさとされている。
【００６１】
その一部についての三次元構造３、６ａ、６ｂ、１１ａ、１１ｂは、取付デバイス３が図２のように折り畳まれるとき、キャップ１の全体の大きさを最小とするように、キャップ１の本体２の外部形状１４、つまり、外部表面または輪郭に一致するように成形された内部面１３を備えている。
【００６２】
概して本発明によれば、三次元構造の内部面１３、つまり、キャップに面する三次元構造３、６ａ、６ｂ、１１ａ、１１ｂの表面または壁１３であって、特には２つの腕部の内部面１３は、折り畳まれるときに三次元構造３、６ａ、６ｂ、１１ａ、１１ｂの全体の大きさを最小とすることで、先行技術のキャップの欠点の全部または一部を回避するために、キャップ１の本体２の外部形状または形１４に一致するように成形されている。
【００６３】
したがって、図３で見ることができるように、面１３は、キャップ１の本体２に形成された窪み１４に嵌まり入ることによって、キャップ１の後面２ｂの外部輪郭に完全に一致し、その窪み１４は、図２に示すように三次元構造３、６ａ、６ｂ、１１ａ、１１ｂがその休止位置または完全に折り畳まれた位置にあるとき、三次元構造３、６ａ、６ｂ、１１ａ、１１ｂの形と合致する形を有している。
【００６４】
別の言い方をすれば、キャップ１の本体２への三次元構造３、６ａ、６ｂ、１１ａ、１１ｂの一体化を増すために、キャップ１の本体２の輪郭に形成される少なくとも１つの窪み１４の提供が行われ、この窪みは、折り畳まれた位置、つまり、休止位置において、中に格納されることになる三次元構造３、６ａ、６ｂ、１１ａ、１１ｂの全部または一部を受け入れるように、具体的であって、適合および成形されている。
【００６５】
したがって、三次元構造３、６ａ、６ｂ、１１ａ、１１ｂは、折り畳まれるとき、仮にあったとしても少ししか外部に突出せず、キャップ１の全体の大きさを増大させない。
【００６６】
病院ベッドなどの棒材などの支持部への取り付けを提供することはさておき、三次元構造３、６ａ、６ｂ、１１ａ、１１ｂは、シリンダ１０が床または任意の他の面で転がるのを防止するために、シリンダ１０を水平位置で安定させる別の機能を有している。そのために、一度完全に広げられることで取付位置とされた三次元構造３、６ａ、６ｂ、１１ａ、１１ｂは、図４に示されるように、シリンダ１０が水平に横たわるとき、シリンダ１０のための支え部として作用できる。
【００６７】
さらに、実施形態の代替の態様では、三次元構造３、６ａ、６ｂ、１１ａ、１１ｂは、充填接続器１５を埃、天候、不適切な使用などから保護することができるように成形される。
【００６８】
そのために、２つの腕部６ａ、６ｂの間の開口または空間１２が充填され、三次元構造３、６ａ、６ｂ、１１ａ、１１ｂが休止位置にあるとき、つまり、キャップ１の本体２に対して折り畳まれるときに本体２の後面２ｂに位置された充填接続器１５を覆う保護カバーを形成してもよい。
【００６９】
本発明は、医療用のガスまたはガス状混合物を分配するための健康管理分野での使用に特に具合よく適合されている。
【図１】
2015173985.tif 000003
【図２】
2015173985.tif 000004
【図３】
2015173985.tif 000005
【図４】
2015173985.tif 000006
【手続補正書】
【提出日】平成27年6月8日(2015.6.8)
【手続補正１】
【補正対象書類名】明細書
【補正対象項目名】０００８
【補正方法】変更
【補正の内容】
【０００８】
固定式または可動式の取付システムを備えたガスシリンダ用キャップは、文献ＥＰ−Ａ−６２９８１２、ＤＥ−Ａ−１００５７４６９、米国特許出願公報第２００４／０２０７９３号、およびＥＰ−Ａ−２５８６４８１によって記載されている。また、関連する文献として、ＥＰ−Ａ−２３３０３３５号、ＧＢ−Ａ−２２４６５９６号が挙げられる。
【外国語明細書】
2015173985000001.pdf